(57)【要約】      （修正有）【課題】衣服用アクセサリーと従来からある一般的布製ネクタイの相互に合体用構造体を設けて合体分離可能なセパレーツ式ネクタイを提供する。【解決手段】装着したときに上部に配される一端にV字ラインを形成する上部ネクタイと、装着したときに最下部に配される端部を有する下部ネクタイとに分離可能で、上部ネクタイは構成要素としてハード素材を含み、下部ネクタイは構成要素としてソフト素材を含むことを特徴としたネクタイシステム。【選択図】図１
2013032602.tif 000002
【特許請求の範囲】
【請求項１】
装着したときに上部に配される一端にV字ラインを形成する上部ネクタイと、装着したときに最下部に配される端部を有する下部ネクタイとに分離可能で、前記上部ネクタイは構成要素としてハード素材を含み、前記下部ネクタイは構成要素としてソフト素材を含むことを特徴としたネクタイシステムに使用可能な前記上部ネクタイ
【請求項２】
装着したときに上部に配される一端にV字ラインを形成する上部ネクタイと、装着したときに最下部に配される端部を有する下部ネクタイとに分離可能で、前記上部ネクタイは構成要素としてハード素材を含み、前記下部ネクタイは構成要素としてソフト素材を含むことを特徴としたネクタイシステムに使用可能な前記下部ネクタイ
【請求項３】
前記ソフト部材は非バイアスに裁断された布を用いたことを特徴とする、請求項２に記載の下部ネクタイ。
【発明の詳細な説明】
【技術分野】
【０００１】
本発明は、特願２０１０−１１６７９８にある衣服用アクセサリーと従来からある生地を素材とする一般的布製ネクタイとを合体分離させるセパレーツ式のネクタイ（衣服用アクセサリー）に関するものである。
【背景技術】
【０００２】
２００５年に日本でスタートしたクールビズ運動の始まりは、当初地球温暖化など環境対策などを目的とした衣服の軽装化キャンペーンだった。このキャンペーンは、全世界レベルで浸透を続けているが、それに伴い困った問題が広がり続けている。それは、男性ファッションの代表格は何と言ってもネクタイである筈なのだが、このキャンペーンの浸透と共にネクタイを装着しない習慣が急速に広まり、その勢いはクールビズ運動＝ノーネクタイ（アンタイド）運動と勘違いしてしまうほどである。
クールビズ運動は夏の暑さを和らげることとエアコンの設定温度を高めてくれることに大きく貢献していることは事実であるが、その一方ではビジネス場面でノーネクタイでいることがビジネスマナーを軽視しているのではないか、という疑問に苛まれる営業マンや、若年層を中心にクールビズを盾にして服装が大きく乱れ始めていることを嘆く経営者や中高年齢層が増えていることも事実である。
このクールビズ＝ノーネクタイの構図が広まってしまった一番の要因は、これまでの一般的布製ネクタイがワイシャツの襟開襟状態（第１ボタンを外す）に適応していなかった点にあると考えられる。つまり、首周りの爽快感を失わず、且つファッションマナーを満たしてくれる襟開襟状態のワイシャツに適合したネクタイの存在がなかったのである。
【先行技術文献】
【特許文献】
【０００３】
【特許文献１】特願２０１０−１１６７９８
【発明の概要】
【発明が解決しようとする課題】
【０００４】
従来からある一般的布製ネクタイは、首に布を廻して結び目を作らなければならない方式であるがために、クールビズ運動により誕生したクールビズ対応（襟元を開襟状態で使用する目的の）シャツに適応できず、その結果としてノーネクタイ（アンタイド）でのシャツ着用がクールビズ運動の代名詞のようになっている現状がある。このノーネクタイ普及現象は、ビジネス場面やフォーマル場面で世代や立場の相異などにより、マナー違反であるかどうかについて多くの軋轢を生んでいる。更には、ノーネクタイが許される範囲を過大解釈する若者の増加現象を招き、服装マナーの乱れを嘆く経営者や年配者は増え続ける一方である。これらを解決するには、数百年の歴史ある一般的布製ネクタイが持つ伝統的なデザイン・フォームを失うことなく、クールビズ対応シャツへの装着が可能なネクタイの誕生が必須である。
【課題を解決するための手段】
【０００５】
特願２０１０−１１６７９８にある衣服用アクセサリー（ノーブルタイ：登録商標）と従来からある一般的布製ネクタイの相互に合体用構造体を設け、任意に合体分離可能な上下２段式のネクタイを実現した。襟元閉襟状態でも開襟状態でも装着可能な特長を持つノーブルタイを上部に、伝統的なネクタイデザインを活かすために一般的布製ネクタイを下部に配置し、上部ネクタイの構成要素にハード素材を下部ネクタイの構成要素にソフト素材を用いた。
【発明の効果】
【０００６】
特願２０１０−１１６７９８にある衣服用アクセサリー（ノーブルタイ）が持つ特長と、従来からある一般的布製ネクタイが持つ特長を失うことなく、第３のネクタイと呼ぶにふさわしい新コンセプトの合体分離可能なセパレーツ式ネクタイを実現した。
【０００７】
特願２０１０−１１６７９８にある衣服用アクセサリーが持つ特長は、ワイシャツ襟元閉襟時の場合は衣服用アクセサリーけん引装着装置を用いて、ワイシャツ襟元開襟時の場合は係留チェーンを用いて装着できる２ウェイ装着方式であることと、その着脱が極めて容易であることであり、一般的布製ネクタイの特長は、数百年以上の歴史を持つ剣先状の縦長デザインであり、更には織布が醸し出すキメ細かな紋様や肌触りやシャツへのフィット感であるが、本発明ネクタイはそれら２者の特長の総てを失うことなく継承している。
【０００８】
また、セパレーツ式にしたことにより、下部にあるネクタイは首に布を廻し結び目を作る必要が無くなったため、ネクタイ誕生以来これまで数百年間に渡り、生地を斜めにデザインし斜めに裁断（バイアス）しなければならない生地ネクタイに課せられていた宿命的な障壁を取り払うことが出来た。本発明により、使用する生地のデザインも裁断も縦横斜め自由な選択が可能となり、更には素材を布以外の伸縮性のない紙、不織布などでも可能とした。このことはネクタイ製造上の自由度を飛躍的に向上させるものである。
【０００９】
更に、セパレーツ式にしたことにより、ネクタイが機械などに巻き込まれたりした場合に頸部損傷に至る以前に下部ネクタイが分離脱落する安全性を確保出来た、と同時に上部ネクタイと下部ネクタイとの組合せを楽しむ新たなファッションスタイルを社会に提供できる。
【図面の簡単な説明】
【００１０】
【図１】特願２０１０−１１６７９８にある衣服用アクセサリーの概要を示したものであり、（a）は衣服用アクセサリーけん引装着装置を用いた場合の前記特許文献にある衣服用アクセサリー装着例、（b）（c）は前記特許文献にある衣服用アクセサリーの代表デザイン、（d）は衣服用アクセサリーけん引装着装置の全体構成、（e）は前記特許文献にある衣服用アクセサリーの裏面に衣服用アクセサリーけん引装着装置を結合させ、（f）は衣服用アクセサリーけん引装着装置を用いて前記特許文献にある衣服用アクセサリーを人体に装着させた人体側面図である。
【図２】（a）は前記特許文献にある衣服用アクセサリーの代表例に係留チェーンを取り付けた図であり、（b）は係留チェーンを用いて前記特許文献にある衣服用アクセサリーを装着する際の図であり、（c）は一般的布製ネクタイの人体装着図である。
【図３】（a）は鉛筆と消しゴムと消しゴム付き鉛筆であり、（ｂ）は上部ネクタイと下部ネクタイが合体と分離することを描いたものであり、（c）は生地が持つ伸縮性が働く方向を表し、（d）はネクタイを製造する際の各部名称と生地裁断法を示した図である。
【図４】（a）(ｂ)は上部ネクタイと下部ネクタイとの合体を模式図的に描いた一連であり、(ｃ)（d）は（a）のパターンについて、それら結合方法を実際のネクタイを用いて描いた図である。
【図５】（a）（b）（c）（d）（e）（f）（g）（h）は図４（b）のパターンについて、それら結合方法を実際のネクタイを用いて描いた図である。
【図６】（a）は上部ネクタイと下部ネクタイを紐材を用いて結合させ、（b）は同じくボタンホックを用いて結合させ、（c）は同じく面ファスナーを用いて結合させた図である。
【図７】（a）は爪式結合ピンの図であり、（b）はピン挿入穴の内部構造、並びに係止留めピンの構造を描いた図であり、（c）はピン挿入穴に係止留めピンが挿入され、係止状態にある図である。
【図８】（a）（b）は上部ネクタイの部品構成について説明しているそれぞれの図であり、（c）は上部ネクタイを正面と正面斜視から見た図で、（d）は上部ネクタイに擬態剣先部が挿入される図である。（e）（f）は  下部ネクタイ受け部材の形状と取付方法の違いについて示している図であり、（g）（h）はそれに下部ネクタイを装着させた際の違いについて示している図である。
【図９】（a）は布の端を折り返すことを、（b）は布折れ線の存在を、（c）は布折れ線を出さない工夫をそれぞれ示した図であり、（d）は下部合体用構造体の側面図である。
【図１０】（a）（b）は段差が出来て不良状態にある上部ネクタイと下部ネクタイの合体部位の側面であり、（c）は正常な合体部位の側面の図である。
【図１１】（a）は下部合体用構造体の全体図であり、（b）（c）（d）は下部合体用構造体にネクタイ生地をどのように貼り合わせるかを示した図であり、（e）は上部ネクタイと下部ネクタイの合体動作手順を示している図である。
【図１２】（a）は四角形状の下部合体用構造体斜視図であり、（b）は台形状の下部合体用構造体斜視図であり、（c）は上部ネクタイに四角形状の下部合体用構造体を備えた下部ネクタイを挿入する図であり、（d）は上部ネクタイに台形状の下部合体用構造体を備えた下部ネクタイを挿入する図であり、（e）は上部ネクタイと下部ネクタイを合体させた本発明品ネクタイを襟元閉襟時に人体装着した図であり、（f）は上部ネクタイと下部ネクタイを合体させた本発明品ネクタイを襟元開襟時に人体装着した図である。
【発明を実施するための形態】
【００１１】
本発明は、特願２０１０−１１６７９８にある衣服用アクセサリーについて、同一出願人により更に発展させたものであり、本出願では特願２０１０−１１６７９８にある衣服用アクセサリーを前記特許文献にある衣服用アクセサリー１と称する。また、前記特許文献にある衣服用アクセサリー１は、ノーブルタイというカテゴリー名称で既に販売が実施されている事実から、本出願文においてネクタイとして扱うこととする。
【００１２】
図１（a）は前記特許文献にある衣服用アクセサリー１を図１（d）にある衣服用アクセサリーけん引装着装置４４により人体装着した図であり、図１（b）（c）は前記特許文献にある衣服用アクセサリー１の代表デザイン２例である。本出願における前記特許文献にある衣服用アクセサリー１は、より発展形となることを前提としている。然るに素材として織布の他に皮革、合成皮革、紙、不織布、ニット、フェルト、合成樹脂、ビニールを用い、熱処理、或いは硬化剤を含浸させ、或いは樹脂により、或いは２以上の素材を重ね合わせて硬化成形される。これら硬化成形された素材を１群と定義し、１群は外力又は加速度（重力・振動・ある程度の風力等）又は日常において人が取り扱うある程度の力を加えても容易に形状変異を来すこと無く、自立して立体的な形状を維持できる。
また本出願において、前記特許文献にある衣服用アクセサリー１は、金属、木材、石材、陶器、硝子などの硬材により任意造形することも可能であり、これら任意造形された素材を２群と定義する。
提示した１群と２群に共通している素材特性は、硬化状態で使用する点にあり、これら硬化状態にある素材をハード素材と呼ぶ。
【００１３】
更に、前記特許文献にある衣服用アクセサリー１のデザイン特性は通常のネクタイの半分以下の全長であり、図１（b）（c）にあるように上部がV字形を成し、人体への装着特性はけん引力を有するリール又はコイルバネ又はゴムなどの弾性体によりけん引装着する方式、又は図２（a）（b）にあるような係留チェーン１１、或いは首に廻したネックレスなどの紐材を吊下げ用構造体４と結合させ首から係留する（吊下げる）方式があり、機能特性は硬さと厚みのある躯体構成を利用し孔を貫通させ、図１（b）に記されているようにその孔を利用してピンバッチ方式の宝飾２やその他アクセサリーを装着できる機能を有している点である。尚、本出願では、主に図１（c）を前記特許文献にある衣服用アクセサリー１の代表例として作図説明する。
【００１４】
人が前開き式のシャツ（ワイシャツなど）を着用する場合、着用方法には次の２通りのパターンがある。一つ目は、前開きにある全部のボタンを掛け、特に襟元にある第１ボタン（最上にあるボタン）を掛けて着用するパターンであり、図１（a）や図２（c）がそれであり、これを本出願では襟元閉襟状態又は襟元閉襟時と称し、特別にだらしない例外を除いて、一般的布製ネクタイは、この襟元閉襟状態で使用されているネクタイである。二つ目は、図２（b）にあるように、第１ボタンを外し（例外としてそれ以外のボタンを外す場合もある）て襟元を開放的にした状態であり、本出願ではこれを襟元開襟状態又は襟元開襟時と称する。一般的には、ビジネスやフォーマル場面の対応として襟元閉襟状態、クールビズ対策やカジュアル対応として襟元開襟状態での着用が成されている。
【００１５】
前記特許文献にある衣服用アクセサリー１の装着特性について、更に詳しく述べるが、襟元閉襟時での装着には、図１（d）にあるような衣服用アクセサリーけん引装着装置４４を用いる。この装置はけん引支点確保用部材５、ワイヤー６、けん引部材７、けん引用フック８、被けん引用フック９により成り立っており、けん引支点確保用部材５は図１(ｆ)にあるようにワイシャツの第１ボタン１０に嵌め込み前記特許文献にある衣服用アクセサリー１をけん引する際の支点となる部材であり、けん引部材７はけん引力を得るための部材であり、ワイヤー６はけん引部材７のけん引力をけん引支点確保用部材５に繋げる役目を成し、図１（e）にあるように前記特許文献にある衣服用アクセサリー１に取り付けられた被けん引用フック９にけん引用フック８を連結させて前記特許文献にある衣服用アクセサリー１を人体胸元へけん引装着させる。
この方式は、一般的布製ネクタイの装着と違いワイシャツの襟を立てネクタイ生地を首に廻し、襟を下ろしてから第１ボタンを掛け、ネクタイ用の結び目を作り長さを調節し、図２（c）にあるディンプル１３と呼ばれている生地の凹凸を作るなど、これら手順の総てが不要なため、装着が極めて容易であり、故に装着時間が概ね１０秒以内で完了できる特性を備えている。
【００１６】
続いて、襟元開襟時における前記特許文献にある衣服用アクセサリー１の装着特性について説明するが、図２（a）（b）にあるように、吊下げ用構造体４に対して係留チェーン１１或いはネックレスなど他の紐材を連結させて装着させる。この方式については改めて力説するまでもなく、シンプルで容易な方式であることは歴史が証明している。ここまでの説明で前記特許文献にある衣服用アクセサリー１は、襟元閉襟時にも開襟時にも対応できる２ウェイ装着方式であり、その装着方法が極めて容易、且つスピーディーであることが説明できた。
【００１７】
衣服用アクセサリーけん引装着装置４４の各部材は、例えばけん引部材は必ずしもリールである必要はなくけん引力を得られれば、コイルバネやゴムなどの弾性体を用いても良く、その他の部材においても同一の作用を得られるならば、図１（d）にあるような形状にこだわらない。又、けん引用フック８と被けん引用フック９を用いずにけん引部材７を直接的に前記特許文献にある衣服用アクセサリー１に固着或いは内包させてもけん引装着は可能である。
【００１８】
ここまで、前記特許文献にある衣服用アクセサリー１について、素材特性、デザイン特性、装着特性、機能特性の他に、部材構成と部材特性について述べて来たが、実際の使用例では、ネクタイには更に特殊な特性を求められている場合がある。
それは、第三者と格闘する可能性のある例えば警察官や警備員などはネクタイを掴まれることによる頸部損傷或いは頸部抑圧を回避するために首にネクタイ生地を廻さない構造の脱落可能な特殊なネクタイを着用しているが、前記特許文献にある衣服用アクセサリー１の場合も閉襟時仕様の際にはワイヤー６が延び、開襟時仕様の際には、装飾アクセサリー用の細目のチェーンを標準としているので、係留チェーン１１が切断され頸部損傷或いは頸部抑圧から回避できる特性を持っている。
【００１９】
一方、図２（c）にある一般的布製ネクタイは、全世界に広く行き渡り数百年に及ぶ長い歴史の中で培われた伝統文化であり、基本的なデザインと素材の変更は未だ成されておらず、先端が剣先状に伸びている長尺なデザインフォームは、全世界の人々の中にネクタイという形状観念を強く形成している。それは織布が織り成すきめ細かな紋様と肌触り、人体へのしなやかなフィット感が優れており、更にはネクタイを結んだ際に出来るノット１２とディンプル１３の形状を演出する楽しみ方が付加されているからだと推測できる。それだけ評価の高い一般的布製ネクタイであるが、前記特許文献にある衣服用アクセサリー１が発明された要因には一般的布製ネクタイにある短所を解決する狙いもあった。その短所とは、一般的布製ネクタイの形状が長尺であることに起因していた。長尺であるが故に機械などに巻き込まれる危険性がある。料理に付着する。装着に時間を要する。ノットとディンプルを上手に作れない、などであった。
【００２０】
では、本発明品誕生の要因は何なのか、なのであるが、最も大きなウェイトを占めているのは、地球温暖化によるクールビズ運動の浸透である。クールビズ運動により襟元開襟状態でワイシャツを着用する人達が毎年増え続けているが、一般的布製ネクタイは襟元開襟状態での着用に適合していないのである。襟元開襟状態で着用出来なくもないが、それは視覚的観点からノーネクタイでいるよりも更にだらしないイメージを相手に与えてしまう。それはいつしかクールビズ＝襟元開襟＝ノーネクタイのような構図が全世界的に拡散していく状況を生んでいる。結果、ノーネクタイはビジネス場面やフォーマル場面ではマナー違反という意見や、ノーネクタイを切っ掛けに若者の服装の乱れがエスカレートしていることを嘆く意見などと、各国賛否両論を戦わせているようである。
けだしこの問題が解決されずに論戦が続いている要因は、男性スーツ姿はワイシャツ、ネクタイ、ジャケットの三位一体によりはじめて精神性を発揮するとされているにも関わらず、襟元開襟で使用できるネクタイの存在が無かったことにある。
前記特許文献にある衣服用アクセサリー１は襟元開襟でも閉襟でも着用できる２ウェイ装着方式であるが、フォルムが斬新であるが為に、一般的布製ネクタイが持つ先端が剣先状に伸びている長尺なデザインイメージの強い人達には抵抗があり過ぎ受け容れてもらえない状況にある。よって本発明は、襟元開襟状態で装着でき且つ一般的布製ネクタイが持つ長尺なデザインフォルムを兼ね備えているネクタイの開発を意図したものである。また、これとは別の観点でクールビズファッションを考察した場合、ワイシャツ襟のデザインの工夫によっては、クールビズ＝襟元閉襟もあり得るわけであり、前記特許文献にある衣服用アクセサリー１が２ウェイ装着方式であることは極めて有効と言える。
【００２１】
本発明は、図３（a）にあるように、例えば鉛筆と消しゴムの特性を維持しつつ両者を合体させることにより更に機能性を向上させていることに似ていて、図３（b）にあるように前記特許文献にある衣服用アクセサリー１の上方部を残した形状の上部ネクタイ１４と一般的布製ネクタイの下方部を残した下部ネクタイ１５とを合体させるものであるが、消しゴム付き鉛筆との最も大きな違いは、両者を容易に分離可能にもしている点である。
前記特許文献にある衣服用アクセサリーは、現在ハンドメード余儀ない皮革素材を主に用いて製作されていて、且つ職人的な技術修練を要するがため大量生産が困難であり高価格商品となっている。一方、一般的布製ネクタイはオール機械化が出来ないまでも縫製機材の発達や技術の一般化が進み、近年では低価格商品の代表例ともなっている。本発明品を分離可能とした意図は、高価な上部ネクタイをそのままに、安価に入手できる下部ネクタイの着せ替えをTPOに合わせて楽しむ新しいファッションスタイルを提供するものである。このように、上部と下部ネクタイ双方をセットにした提供と分離させた状態での提供が可能であるという商品構成は、販売する側、購入する側の双方にとって都合の良いプラス要因と思える。
【００２２】
本発明は、図３（b）にあるように前記特許文献にある衣服用アクセサリー１（上部ネクタイ１４）と一般的布製ネクタイ（下部ネクタイ１５）の合体と分離を可能としたものである。前記特許文献にある衣服用アクセサリー１が失いたくない特性は前述したように、固有の素材特性、デザイン特性、装着特性、機能特性の４点である。
一方、一般的布製ネクタイが失いたくない特性は、素材が織布であることと先端が剣先状に伸びている長尺のデザインフォームである。これからして、本発明ネクタイにおける両者は、図３（b）にあるように上部ネクタイとして前記特許文献にある衣服用アクセサリー１を下部ネクタイとして一般的布製ネクタイを配置する形式で構成されるのは必然である。
【００２３】
総ての織布は縦糸と横糸で織られているために、図３（c）にあるように、織布は縦と横には延び縮みしないが、斜め方向には糸織り目が歪んだ分だけ伸び縮みする性質を持っている。一般的布製ネクタイは、布を首に巻き付け結び目を作らなければならず、結び目には一定の締まり強度を持たせ容易に緩まない弾力性を持たせなければならない。そのためには、図３（d）にあるように生地が伸び縮み出来るように生地を４５度で裁断し縫製しなければならず、このことによりネクタイ柄のデザインは常に４５度傾いた紋様にデザインしなければならず、且つ、無駄な布の端切れを出さない為には、ネクタイを大剣１６、中継ぎ１７、小剣１８の３構成に分離させ裁断し縫製しなければならない。これらは数百年に及ぶネクタイの歴史の中で、避け難い宿命的な障壁であった。（以下、本出願でこの宿命的な障壁のことをバイアスの障壁と称する）
本発明に採用する下部ネクタイ１５は結び目を必要としないので、バイアスの障壁に制約されることは一切ない。つまり、４５度傾いた紋様デザインにこだわることも大剣、中継ぎ、小剣の３構成とする必要性も無いので製造工程を飛躍的に簡素化できる。このバイアスの障壁からの解放は、これまでネクタイ用の生地が入手出来ない、或いは大剣、中継ぎ、小剣の３構成とする縫製技術がなかった一般の方々にも手作りのネクタイを製作できる楽しみを与えるものである。
【００２４】
前記バイアスの障壁について補足すると、図３（d）にあるように大剣１６、中継ぎ１７、小剣１８の各部材の裁断を４５度にした場合、糸織り目の歪みが最大となり、それは同時に生地の伸縮性を最大に出来る。また布幅４７と布長４８の長さを最小に抑えることも出来、且つ端切れ２１の面積も最小に出来る。これらは生地の無駄を最小限に押さえている。このことにより、ネクタイ業界では極特別な場合を除いてバイアスに裁断とは４５度で裁断することを指す。よって本願特許においてもこの慣例に準拠するが、非バイアスに裁断とは４５度に拘らない任意の角度と定義する。
【００２５】
一般的布製ネクタイの特長として、素材が織布であることを以前の項で挙げたが、逆説的にはバイアスの障壁があるが故に織布以外の素材が不適格であったとも言える。本発明がネクタイの製造工程からバイアスの障壁を取り除いたことは、使用する素材についても革新を与えてくれる。本発明における下部ネクタイに求められる材料としての選定条件は、胸元に吊り下げた状態において、日常動作の妨げにならない軟質素材で、重力の影響を受けて下方へ垂れ下がり、自立して立体的な形状を維持できない素材の総てが適用となる。具体的には、織布の他に皮革、合成皮革、紙、不織布、フェルト、極薄樹脂、ビニールなどであり、これらを総称してソフト素材と呼ぶ。
更には竹などの木材や金属を横置きのすだれ状に加工したり腕時計の金属バンドのような板状鎖を成すフレキシブル部材が使用可能となり製作上の自由度を格段に広げるものである。
【００２６】
本発明品が目指した特性のひとつにデザインがあり、ネクタイは機械工具類と違いオシャレ感を演出する人体への装飾品であるが故に、例えばボルト＆ナットを用いての合体と分離、ジッパーを用いての合体と分離などは、着脱させる機能は満足させることが出来ても見栄えが悪く人体への装飾品としてはNG判定を下さざるを得ない。このように、例え機能を満足させることが可能であっても装飾品として成立しないデザインをNGデザインと称し、装飾品としてのデザイン性が高いデザインをGOODデザインと称することにする。
【００２７】
図４（a）(ｂ)は、上部ネクタイ１４と下部ネクタイ１５との分離合体方法を横置きに模式図化したものであり、上部ネクタイ１４を模式図上部ネクタイ１９、下部ネクタイ１５を模式図下部ネクタイ２０で表している。模式図上ではこの４パターンが考えられる。図４（a）の模式図を元により実際的に表してみたのが図４（c）（d）である。
【００２８】
図５（a）（b）（c）（d）（e）（f）（g）（h）は、図４（b）のパターンについて、図４（c）（d）を更に発展させたものとして、使用する人の意識や技量により仕上がりに差異が生じる不確実機能品、更には時間の経過と共に形に変化を来す形体変異とならないようGOODデザイン化を目指した工夫として上部ネクタイ１４に受け棚部２２を設けたものである。ところが、図５（b）（d）（f）（h）においては上部ネクタイ断面２３が、図（b）（f）においては更に受け棚部２２が露出された状態のNGデザインの判定となる。
【００２９】
また、図６（a）（b）（c）では上部ネクタイ１４と下部ネクタイ１５との合体を維持する方式について示されており、図６（a）は紐材、図６（b）はボタンホック、図６（c）は面ファスナーによる方式である。これら３方式はいずれもNG判定を下さざるを得ない。何故ならば、図６（a）（b）においては上部ネクタイ断面２３が露出状態であり、下部ネクタイを固定維持する部分が図６（a）は紐などの紐材で括る２カ所、図６（b）においてはボタンホックにより係止させる箇所のみで下部ネクタイを固定維持しているので、重力と人体活動の影響を受けて、時間の経過と共に下部ネクタイはソフト素材であるが故に形体変異を起こし、その結果弛み２４が発生し、それは同時に受け棚部２２を露出させる。
図６（c）は面ファスナーにより面による固定維持を成す方式であり、図６（a）（b）で見られた弛みが発生する可能性は低いが、使用する人の意識や技量の差により被り２５を生じさせたり上部ネクタイ断面２３を露出させる懸念がある不確実機能品と言える。故にこれら図６（a）（b）（c）は結果的にNGデザインと判定せざるを得ない。
【００３０】
更に、強力磁石による合体分離方式が考えられるが、磁力により悪影響を及ぼす精密電子部品を多用している携帯電話や磁気カードの普及が日常となっている現代において、人体胸元で使用するネクタイに磁石を使用することは不適切と判定できる。以上のことから、上部ネクタイ１４と下部ネクタイ１５との合体分離方式は、双方に専用の合体用構造体が必要だと導き出せる。
【００３１】
図７は合体用構造体の合体分離部品の一部を描いたものであり、図７（a）にある爪式結合ピン２６による方式は、歯合させた爪を外すための何らかのスイッチを必要とするため構造が複雑になるのと、万が一の場合の頸部損傷或いは頸部抑圧を回避しなければならないという観点からNG判定である。図７（b）（c）は、係止留めピン２７をピン挿入穴３０に挿入することにより、係止用突起３１部分を通過する際に緩衝用隙間２９が狭まり、更に奥へと挿入することにより、やがて係止用溝２８に係止用突起３１が嵌り込み係止を完了させる単純な方式であるが、万が一の場合の頸部損傷或いは頸部抑圧を回避できる。
【００３２】
この係止留めピン２７を受け容れるためのピン挿入穴３０を備えた上部ネクタイ１４に設けられる合体用構造体が図８（a）にある上部合体用構造体３３である。この部材にはピン挿入穴３０が具備されている。前述されている不確実機能と形体変異を防止する意味で必要とされる部材が下部ネクタイ受け部材３４である。下部ネクタイ受け部材３４は、係止留めピン２７をピン挿入穴３０にスムーズに挿入させる際のガイド枠の他に、上部と下部ネクタイ相互の接触気密性を維持し人体活動により発生が予測される相互のガタつきを防止する目的がある。
【００３３】
上部合体用構造体３３と下部ネクタイ受け部材３４は、図８（a）のように接合される形式でも一体化されていても良く、最終的に図８（ｂ）のように上部ネクタイ１４は上部合体用構造体３３と下部ネクタイ受け部材３４を兼ね備えて下部ネクタイ１５との分離合体を成す。
【００３４】
外出先などで、何らかの事情で下部ネクタイ１５を上部ネクタイ１４から分離させた場合のことを考慮してGOODデザインを追求すると、図８（c）にあるように、下部ネクタイ受け部材３４の形状は、下部ネクタイ１５が無いことの視覚的な違和感を軽減するために、正面から見た際に前記特許文献にある衣服用アクセサリー１と同一のフォルムに見える形状とするのが望ましく、更に発展的に考案すると、図８（d）にあるように疑似剣先部３６を揃えることで、下部ネクタイ１５を使用しない場合の違和感を更に払しょくできる。
【００３５】
図８（e）（f）は、○印部分における下部ネクタイ受け部材３４の形状の違いを表しており、図８（e）の場合は図８（g）のように下部ネクタイ受け部材３４が側面に露出してしまいNGデザインであり、図８（f）の形状にすることにより図８（h）のように下部ネクタイ受け部材３４は下部ネクタイ１５に隠れるのでGOODデザインとなる。
【００３６】
本発明品には、上部合体用構造体３３と対を成し上下ネクタイを合体分離させる為の構造の図１１（a）、図１２（a）（b）にある下部合体用構造体３９の存在が不可欠であると同時に、下部ネクタイ１５と下部合体用構造体３９をどのような方式で結合させるかが重要である。尚、○○２５項で下部ネクタイ１５に求められる材料としての選定条件の中でソフト素材を挙げたが、下部合体用構造体３９との結合方法について、ソフト素材それぞれに個別の結合法があるがここでは技術的に最も困難とされている織布をもとに説明を展開する。
生地が発明されて以来、生地先端のほつれを防ぐ為に生地の端は図９（a）にあるように最小限度の範囲で生地を折り返して縫製しているのが通常であるが、図９（b）にあるように硬い材質物３２と組み合せた場合、図に見られるような布折れ線３８が浮き出てくる場合がある。これらは本発明でNGデザイン判定である。布折れ線３８が生じる原因は、丸円内Aの場合は布折り返し端４３によって生じた布厚による段差が、丸円内Bの場合には布下部にある硬い材質物３２の角部分が、それぞれ浮き出て来たものである。図９（d）は模式図様の下部合体用構造体３９の側面であるが、これらを解決するためには、図９（c）の丸円Bのように布下部にある硬い材質物３２の角部分をなだらかな傾斜にすると同時に、布折り返し端４３を硬い材質物３２よりも長く設定する必要があり、実際的には下部合体用構造体３９の角部分を図のようになだらかな傾斜とし、布折り返し３７を下部合体用構造体長さ４６よりも長く設定することで、図９（b）にある布折れ線３８は出現しない。
【００３７】
図１０（a）（b）（c）は上部ネクタイ１４と下部ネクタイ１５との合体接点部分を側面から描いている。図１０（a）（b）ともに丸円内にあるように段差が生じているのでNGデザインであり、GOODデザインを得るには、図１０（c）丸円内のように上部ネクタイ１４と下部ネクタイ１５とが合体した時点で合体接点部分がフラットでなければならない。そのためには、図９（ｄ）に描かれている下部合体用構造体高さ４５は、下部ネクタイ１５の布折り返し３７の布厚を考慮し、布厚を含めた状態で図１０（c）のようにフラットになるよう設定しなければならず、且つ図９（ｃ）の丸円内Aにあるように、下部ネクタイ１５の布折り返し部分と下部合体用構造体３９の端とが点線で示されているように同一面となるよう設定しなければならない。
【００３８】
下部ネクタイ１５と下部合体用構造体３９との結合は、生地ダメージが最も少なく確実な方法として、双方の有効接合面積が最も最大となる接着剤による接合法が適している。この場合、他のソフト素材と異なり、織布であるが故に接着剤の種類や接着方法により生地表面に接着剤が沁み出たりシワが発生する現象があるが、図９（c）にあるように生地を折り返し２枚合わせで使用することにより、下部合体用構造体３９と接着させた生地の乾きを待って生地を折り返すことにより、シミやシワがネクタイ表面に達することはない。
【００３９】
図１１（b）（c）（d）は、下部ネクタイ１５と下部合体用構造体３９をどのような手順と方式で結合させるかについて表しているが、図９（a）（b）（c）で描かれている布折り返し３７を図では表現しにくく理解度を深める為に布の折り返しを省き簡略化して描いてある。
図８（f）（h）でgoodデザインを求めるには、下部ネクタイ受け部材３４を下部ネクタイ１５で覆い隠す必要のあることを説明したが、図１１（c）にあるように下部合体用構造体３９には、下部ネクタイ受け部材３４を覆い隠す為の合わせ爪４０がある。
また生地に限らず接着法により貼られた壁紙などが剥がれる現象は端から剥がれが広がることを考慮し、下部合体用構造体３９に生地の端を嵌め込むための嵌め留め用溝４２を設け、図１１（c）にあるように嵌め留め具４１を圧入することより生地の剥がれを防止できる。
【００４０】
図１１（d）は、下部ネクタイ１５と下部合体用構造体３９が接着され且つ嵌め留め具４１が圧入された状態の下部ネクタイ１５の裏面である。上部ネクタイ１４と下部ネクタイ１５は、図１１（e）にある（１）（２）の手順で合体される。下部ネクタイ受け部材３４が下部ネクタイ１５をガイドするので係止留めピン２７はピン挿入穴３０に迷うことなく挿入出来る。
【００４１】
図１２（a）（b）は下部合体用構造体３９の斜視図であり、下部合体用構造体の形状により下部ネクタイのデザインを演出できることを表しているのが図１２（c）（d）であり、図１２（b）のように台形状の下部合体用構造体を用いた場合、図２（c）にあるディンプル１３を図１２（d）で描かれているように再現演出できる。
【００４２】
尚、前記特許文献にある衣服用アクセサリー１と上部ネクタイ１４、一般的布製ネクタイと下部ネクタイ１５との明確な識別は、上部合体用構造体３３が装備されている前記特許文献にある衣服用アクセサリー１を上部ネクタイ１４とし、下部合体用構造体３９が装備されている一般的布製ネクタイを下部ネクタイ１５と称する。
【００４３】
図１２（e）は、襟元閉襟状態のシャツに対して本発明品セパレーツ式ネクタイを衣服用アクセサリーけん引装着装置４４を用いて装着した図であり、図１２（f）は、クールビズ対応シャツ（襟元開襟状態のシャツ）に対して本発明品セパレーツ式ネクタイにある吊下げ用構造体４に係留チェーン１１を連結させて装着した図である。
【産業上の利用可能性】
【００４４】
２００５年、地球温暖化に伴い導入されたクールビズ運動は、環境対策などを目的とした衣服の軽装化キャンペーンという枠組みから外れ、年々ノーネクタイ運動と同義に見なされる傾向となっている。ノーネクタイの広がりとともに、若年層を中心とした服装の乱れは、ビジネスマナーの低下や国家の士気低下にも発展する軽視できない社会問題であると捉え、未来に大きな危惧を抱く人は少なくない。更に、クールビズ運動の広がりとともに激減した売上に喘ぐネクタイ業界の窮状は、今や業界全体の死活問題である。これら大問題に２０１１年追い打ちを掛ける異変があった。それは日本における東北地方大震災であり、原子力発電所事故が及ぼした電力不足は、これまで最長でも６月〜９月の４カ月間だったクールビズ実施期間が更に延長され、５月〜１０月までの６カ月間に拡大されたのである。
実施期間４カ月ですらキャンペーンに便乗して通年に渡りノーネクタイでいる人達が散在している現状なのだから、６カ月間ともなると、これまで数百年に渡り継承されて来たネクタイ着用という文化そのものが希薄化してしまうのではないか、と危惧するのが当然であり、その後ろに見えるネクタイ産業衰退の兆しも併せて食い止めなければならない大きな課題である。
本発明品はこれらの問題を根本から解決することを目的に考案されたものであり、本発明品ネクタイには数百年に及ぶ伝統的なデザインが継承されていて、且つクールビズ対応シャツ（開襟で使用する目的のシャツ）にも装着できる特性を持つネクタイであり、バイアスでデザインされバイアスで切断しなければならなかった布ネクタイの宿命的なバイアスの障壁をも取り去ったものである。このネクタイの普及がクールビズ＝ノーネクタイという構図を解消してくれることと、ネクタイ産業の復興に大きく寄与すると信じられる。
【符号の説明】
【００４５】
１、前記特許文献にある衣服用アクセサリー
２、宝飾
３、剣先部
４、吊下げ用構造体
５、けん引支点確保用部材
６、ワイヤー
７、けん引部材
８、けん引用フック
９、被けん引用フック
１０、第１ボタン
１１、係留チェーン
１２、ノット
１３、ディンプル
１４、上部ネクタイ
１５、下部ネクタイ
１６、大剣
１７、中継ぎ
１８、小剣
１９、模式図上部ネクタイ
２０、模式図下部ネクタイ
２１、端切れ
２２、受け棚部
２３、上部ネクタイ断面
２４、弛み
２５、被り
２６、爪式結合ピン
２７、係止留めピン
２８、係止用溝
２９、緩衝用隙間
３０、ピン挿入穴
３１、係止用突起
３２、硬い材質物
３３、上部合体用構造体
３４、下部ネクタイ受け部材
３６、疑似剣先部
３７、布折り返し
３８、布折れ線
３９、下部合体用構造体
４０、合わせ爪
４１、嵌め留め具
４２、嵌め留め用溝
４３、布折り返し端
４４、衣服用アクセサリーけん引装着装置
４５、下部合体用構造体高さ
４６、下部合体用構造体長さ
４７、布幅
４８、布長
【図１】
2013032602.tif 000003
【図２】
2013032602.tif 000004
【図３】
2013032602.tif 000005
【図４】
2013032602.tif 000006
【図５】
2013032602.tif 000007
【図６】
2013032602.tif 000008
【図７】
2013032602.tif 000009
【図８】
2013032602.tif 000010
【図９】
2013032602.tif 000011
【図１０】
2013032602.tif 000012
【図１１】
2013032602.tif 000013
【図１２】
2013032602.tif 000014